(57)【特許請求の範囲】
【請求項１】
着用者の股部を含む領域に装着される吸収性物品であって、
吸液ポリマーを有する吸収素材を備えた吸収コアと、
不透液性を有し、前記吸収コアの外面側に配置された外側シート部材と、
前記吸収コアの肌面側に配置され、少なくとも一部が透液性を有する内側シート部材と、
前記外側シート部材における前記吸収コアの周辺部に、該外側シート部材の一部が開放可能に折り込まれることにより設けられた少なくとも１つの第１折り込み部と、
を備え、
前記第１折り込み部は、前記吸収コアの外面側における横方向の両側の縁部よりも前記横方向の内方側の部分に対向する前記外側シート部材の部分に略縦方向に沿って設けられ、
前記吸収コアは、
前記吸収ポリマーを有する前記吸収素材と、
前記吸収素材の肌面側に位置する部分の少なくとも一部が透液性を有し、前記吸収素材を包む包装シートと、
前記包装シートにおける前記吸収素材の外面側に対向する位置に、該包装シートの一部が開放可能に折り込まれることにより設けられた少なくとも１つの第２折り込み部と、
を備え、
前記吸収性物品は、
前記吸収コアの外面側表面と前記外側シート部材との間における複数箇所に互いに間隔をあけて略筋状に設けられ、前記吸収コアと前記外側シート部材とを離間させ、前記吸収コアと前記外側シート部材とに接着されたスペーサと、
前記吸収コアの前記外面側表面と前記外側シート部材との間における隣り合う前記スペーサの間に設けられた隙間部と、
をさらに備えることを特徴とする吸収性物品。
【請求項２】
請求項１に記載の吸収性物品において、
前記スペーサは、前記吸収コアの外面側表面と前記外側シート部材との間において横方向に互いに離間して略縦方向に沿って略筋状に設けられ、
前記第１折り込み部は、前記外側シート部材における前記隙間部に対応する部分に略前記縦方向に沿って設けられることを特徴とする吸収性物品。
【請求項３】
請求項１又は請求項２に記載の吸収性物品において、
前記スペーサは、発泡ホットメルト接着剤によって形成されることを特徴とする吸収性物品。
【発明の詳細な説明】
【技術分野】
【０００１】
本発明は、着用者の股部を含む領域に装着される吸収性物品に関する。
【背景技術】
【０００２】
吸収性物品に備えられる吸収コアには、パルプと吸収ポリマーが用いられる場合が多い。このため、尿等の排泄液を吸収した際、吸収コアは、吸収ポリマーの膨潤等により大きく膨張する傾向がある。ここで、吸収ポリマーの膨張時には、吸収ポリマーの間に空気が巻き込まれて気泡又は隙間が形成される場合が多く、吸収ポリマーが吸収した液体量以上に膨張する傾向がある。
【０００３】
図７は、従来の吸収性物品の断面図の構成を模式的に示す図である。従来の吸収性物品１は、図７に示すように、吸収コア２の外面側及び肌面側に外側シート部材３及び内側シート部材４が配置されている。外側シート部材３は防水用の樹脂フィルムを備えて構成される場合が多いのに対し、内側シート部材４は主に不織布を用いて構成される場合が多いため、外側シート部材３よりも内側シート部材４の方が伸びやすい傾向がある。このため、排泄液の吸収により吸収コア２が膨張した際に、図８に示すように、より伸びやすい内側シート部材４側に向けて吸収コア２が膨張する傾向が強い。このように吸収コア２が肌面側に膨張することにより、着用者の臀部５と、吸収性物品１との間に隙間６が生じる場合がある。このような隙間６は、次回の排尿が行われたときに尿の漏れを誘発するおそれがある。
【０００４】
また、図９に示すように、吸収性物品１に左右の立体ギャザー７が設けられている場合には、上記の如く吸収コア２の肌面側への膨張により、内側シート部材４の立体ギャザー７の横方向の内側のシート面４ａの高さと立体ギャザー７の高さとの差が減少する。これによって、立体ギャザー７により横漏れ防止効果が損なわれ、尿等の排泄物が立体ギャザー７を乗り越えるようにして吸収性物品１の外部に漏れる場合がある。
【０００５】
なお、先行技術文献としては、吸収性性物品のウエストギャザー部分にタックを設けたものがある（特許文献１）。
【先行技術文献】
【特許文献】
【０００６】
【特許文献１】特開２００８−１８８０４８号公報
【発明の概要】
【発明が解決しようとする課題】
【０００７】
そこで、本発明の解決すべき課題は、吸液時における吸収コアの肌面側への膨張を抑制でき、排泄物の漏れを抑制できる吸収性物品を提供することである。
【課題を解決するための手段】
【０００８】
上記の課題を解決するため、請求項１の発明では、着用者の股部を含む領域に装着される吸収性物品であって、吸液ポリマーを有する吸収素材を備えた吸収コアと、不透液性を有し、前記吸収コアの外面側に配置された外側シート部材と、前記吸収コアの肌面側に配置され、少なくとも一部が透液性を有する内側シート部材と、前記外側シート部材における前記吸収コアの周辺部に、該外側シート部材の一部が開放可能に折り込まれることにより設けられた少なくとも１つの第１折り込み部とを備え、前記第１折り込み部は、前記吸収コアの外面側における横方向の両側の縁部よりも前記横方向の内方側の部分に対向する前記外側シート部材の部分に略縦方向に沿って設けられ、前記吸収コアは、前記吸収ポリマーを有する前記吸収素材と、前記吸収素材の肌面側に位置する部分の少なくとも一部が透液性を有し、前記吸収素材を包む包装シートと、前記包装シートにおける前記吸収素材の外面側に対向する位置に、該包装シートの一部が開放可能に折り込まれることにより設けられた少なくとも１つの第２折り込み部と、を備え、前記吸収性物品は、前記吸収コアの外面側表面と前記外側シート部材との間における複数箇所に互いに間隔をあけて略筋状に設けられ、前記吸収コアと前記外側シート部材とを離間させ、前記吸収コアと前記外側シート部材とに接着されたスペーサと、前記吸収コアの前記外面側表面と前記外側シート部材との間における隣り合う前記スペーサの間に設けられた隙間部と、をさらに備える。
【００１４】
また、請求項２の発明では、請求項１の発明に係る吸収性物品において、前記スペーサは、前記吸収コアの外面側表面と前記外側シート部材との間において横方向に互いに離間して略縦方向に沿って略筋状に設けられ、前記第１折り込み部は、前記外側シート部材における前記隙間部に対応する部分に略前記縦方向に沿って設けられる。
【００１５】
また、請求項３の発明では、請求項１又は請求項２の発明に係る吸収性物品において、前記スペーサは、発泡ホットメルト接着剤によって形成される。
【発明の効果】
【００１６】
請求項１に記載の発明によれば、外側シート部材における吸収コアの周辺部に、該外側シート部材の一部が開放可能に折り込まれることにより少なくとも１つの第１折り込み部が設けられている。それ故、本発明に係る吸収性物品が着用者に装着され、着用者による排尿等の排泄が行われ、吸収コアの吸収素材に含まれる吸収ポリマーが排泄液を吸収した膨張し、吸収コアが膨張したときに、吸収コアの膨張に伴って、外側シート部材の第１折り込み部が開き、吸収コアが外面側に向けて膨張するためのスペースが与えられる。これによって、吸収コアが外面側に向けて膨張しやすくなり、吸収コアの肌面側への膨張を抑制できる。その結果、吸液による吸収コアの肌面側への膨張に起因して生じる尿等の排泄物の漏れを抑制できる。
【００１７】
また、第１折り込み部が、吸収コアの外面側における横方向の両側の縁部よりも横方向の内方側の部分に対向する外側シート部材の部分に略縦方向に沿って設けられる。それ故、吸収コアの吸液による膨張が最も大きい中央部に対して、吸収コアの外面側にその膨張のためのスペースを効果的に供給できるため、吸収コアの肌面側への膨張を効果的に抑制できる。
【００２０】
また、吸収コアの包装シートにおける吸収素材の外面側に対向する位置又は横方向の両側の側端に横方向の外方から対向する位置に、該包装シートの一部が開放可能に折り込まれることにより少なくとも１つの第２折り込み部が設けられている。それ故、吸液により吸収コアの吸収素材が膨張したときに、吸収素材の膨張に伴って、包装シートの第２折り込み部が開き、吸収素材が外面側に向けて膨張するためのスペースが与えられる。これによって、吸収素材が外面側に向けて膨張しやすくなり、吸収素材の肌面側への膨張を抑制できる。
【００２１】
また、吸収コアの外面側表面と外側シート部材との間における複数箇所に互いに間隔をあけて略筋状にスペーサが設けられ、そのスペーサによって吸収コアと外側シート部材とが離間される。そして、吸収コアの外面側表面と外側シート部材との間における隣り合うスペーサの間に隙間部が設けられている。それ故、吸液により吸収コアが膨張するときに、吸収コアの外面側表面と外側シート部材との間における隣り合うスペーサの間に設けられた隙間部によって吸収コアが外面側に膨張するスペースを供給できる。この隙間部及び外側シート部材に設けられた第１折り込み部の寄与により、吸収コアが外面側に向けてさらに膨張しやすくなり、吸収コアの肌面側への膨張をより確実に抑制できる。
【００２２】
請求項２に記載の発明によれば、スペーサが、吸収コアの外面側表面と外側シート部材との間において横方向に互いに離間して略縦方向に沿って略筋状に設けられている。このため、横方向よりも縦方向の寸法が長い吸収コアに対して、スペーサの数を抑制しながら、吸収コアの外面側表面と外側シート部材との間に効果的に隙間部を形成できる。
【００２３】
また、そのスペーサの配置形態に対応して、第１折り込み部が、外側シート部材における隙間部に対応する部分に略縦方向に沿って設けられる。それ故、第１折り込み部の開放動作がスペーサによって阻害されることがないとともに、吸収コアの外面側におけるスペーサによる吸収コアの膨張スペースを確保する機能と、第１折り込み部による吸収コアの膨張スペースを供給する機能とを確実かつ相乗的に作用させることができる。
【００２４】
請求項３に記載の発明によれば、スペーサが発泡ホットメルト接着剤によって形成されるため、スペーサを形成する発泡ホットメルト接着剤を吸収コアと外側シート部材との接着に兼用できる。その結果、吸収性物品の製造工程の簡略化及びコスト抑制が図れる。
【図面の簡単な説明】
【００２５】
【図１】本発明の一実施形態に係る吸収性物品としての使い捨ておむつの平面図である。
【図２】図１の使い捨ておむつのＡ−Ａ線に沿った断面の構成を模式的に示す断面図である。
【図３】図１の使い捨ておむつが尿を吸収したときの状態を示す断面図である。
【図４】図１の使い捨ておむつの変形例を示す断面図である。
【図５】図１の使い捨ておむつの他の変形例を示す断面図である。
【図６】図１の使い捨ておむつのさらに他の変形例を示す断面図である。
【図７】従来の吸収性物品の断面図である。
【図８】図７の吸収性物品が尿を吸収したときの状態を示す断面図である。
【図９】従来の他の吸収性物品の断面図である。
【発明を実施するための形態】
【００２６】
図１は本発明の一実施形態に係る吸収性物品としての使い捨ておむつ（以下、単に「おむつ」という）の平面図であり、図２はそのおむつのＡ−Ａ線に沿った断面の構成を模式的に示す断面図である。なお、図１及び図２において、横方向Ｘは着用者の左右方向に対応しており、縦方向Ｙは着用者の前後又は上下方向に対応している。また、図１に示すおむつ１０の構成において、図１の図面上における上側がおむつ１０の後側に対応している。
【００２７】
本実施形態に係るおむつ１０は、テープ型又はパンツ型のおむつ等の股部の内側に敷き込まれて用いられるものである（尿パッドと呼ばれる場合がある）。このおむつ１０をテープ型又はパンツ型のおむつ等の股部に敷き込むことにより、おむつの吸液容量が補強され、多量の尿が排尿された場合又は多量の水分を含んだ軟便が排便された場合に対応できるようになる。なお、本実施形態では本発明を尿パッドに適用した場合について説明したが、本発明をテープ型又はパンツ型のおむつに適用してもよい。なお、テープ型のおむつとは、おむつの後縁部の左右両側等に面ファスナー等の止着部材が設けられたタイプのおむつであり、パンツ型のおむつとは、左右の脚穴と腰穴を有し、左右の脚穴に着用者の脚を通して装着するタイプのおむつである。
【００２８】
このおむつ１０は、図１及び図２に示すように、吸収コア１１、外側シート部材１２及び内側シート部材１３を備えている。内側シート部材１３は、少なくとも一部が透液性を有している。また内側シート部材１３は、内側シート部材本体２１、左右の起立シート部２２、及び左右の弾性部材２３を備えている。外側シート部材１２には、本発明の第１折り込み部に相当する後述する折り込み部２６が設けられている。また、吸収コア１１の後述する包装シート１１２には、本発明の第２折り込み部に相当する折り込み部２７が設けられている。
【００２９】
吸収コア１１は、着用者が排泄した排泄液（例えば、尿又は便に含まれる水分等）を吸収する。より具体的には、吸収コア１１は、吸液ポリマーを有する吸収素材１１１と、透液性を有し、その吸収素材１１１を包装する包装シート（例えば、ティッシュペーパー）１１２とを備えている。吸収素材１１１は、例えば、集合された繊維により構成された繊維集合体と、その繊維集合体に混入又は添加された吸収ポリマーとによって構成される。あるいは、吸収コア１１の他の構成として、シート状の吸収コア１１の内部に、繊維集合体を用いずに、主に吸収ポリマーを収容する構成も採用可能である。本実施形態では、吸収コア１１の吸収素材１１１の厚み方向から見た外形形状が略砂時計形になっているが、吸収素材１１１の形状として略矩形、略楕円形等の他の形状が採用されてもよい。
【００３０】
包装シート１１２は、例えば吸収素材１１１を巻き込むようにして包んでいる。より具体的には、例えば、包装シート１１２は、包装シート１１２の横方向Ｘの両側の部分が吸収素材１１１の横方向Ｘの両側の側端１１１ａを外面側から肌面側に巻き上げるようにして吸収素材１１１を包み込んでいる。包装シート１１２の横方向Ｘの両側の部分は、吸収素材１１１の肌面側で互いに重ね合わされている。
【００３１】
また、包装シート１１２の吸収素材１１１の外面側表面１１１ｂに対向する部分に、該包装シート１１２の一部が開放可能に折り込まれることにより少なくとも１つの折り込み部２７が縦方向Ｙに沿って設けられている。本実施形態では、包装シート１１２の吸収素材１１１の外面側表面１１１ｂに対向する部分の横方向Ｘの略中央部に、１つの折り込み部２７が略縦方向Ｙに沿って吸収コア１１の略全長Ｌ１１に渡って設けられている。折り込み部２７の折り込み形状は、図２に示す形状に限らず、折り込み部２６のような形状等、種々の形状が採用可能である。変形例として、包装シート１１２の吸収素材１１１の外面側表面１１１ｂに対向する部分に２つ以上の折り込み部２７を設けてよいし、包装シート１１２の吸収素材１１１の横方向Ｘの両側の側端１１１ａに横方向Ｘの外方から対向する部分に折り込み部２７を１つずつ設けてもよい。また、本実施形態では、折り込み部２７を吸収コア１１の略全長Ｌ１１に渡って設けたが、折り込み部２７を吸収コア１１の縦方向Ｙの中央部を含む一部の区間にのみ設けてもよい。
【００３２】
外側シート部材１２は、不透液性を有し、吸収コア１１の外面側に配置されている。外側シート部材１２は、より具体的には例えば、不織布シートと、その不織布シートの肌面側に貼り合わされた不透液性の樹脂フィルムとを備えて構成されている。不織布シートには、例えば撥水性を有する合成繊維製不織布等が用いられる。樹脂フィルムには、例えばポリエチレン等の合成樹脂製フィルム（不透液性でかつ通気性を有するフィルムが好ましい）等が用いられる。
【００３３】
また、外側シート部材１２における吸収コア１１の周辺部に位置する部分に、該外側シート部材１２の一部が開放可能に折り込まれることにより少なくとも１つの折り込み部２６が設けられている。本実施形態では、折り込み部２６は、吸収コア１１の外面側表面１１ａにおける横方向Ｘの両側の縁部１１ｂよりも横方向Ｘの内方側の部分に対向する外側シート部材１２の部分に、横方向Ｘに互いに間隔をあけて、略縦方向Ｙに沿っておむつ１０の略全長Ｌ１０に渡って２つ設けられている。折り込み部２６の折り込み形状は、図２に示す形状に限らず、折り込み部２７のような形状等、種々の形状が採用可能である。変形例として、吸収コア１１の外面側表面１１ａにおける横方向Ｘの両側の縁部１１ｂよりも横方向Ｘの内方側の部分に対向する外側シート部材１２の部分に１つの折り込み部２６を設けてもよく、あるいは３つ以上の折り込み部２６を設けてもよい。なお、折り込み部２６の他の変形例については後述する。また、本実施形態では、折り込み部２６をおむつ１０の略全長Ｌ１０に渡って設けたが、折り込み部２６をおむつ１０の縦方向Ｙの中央部を含む一部の区間にのみ設けるようにしてもよい。
【００３４】
内側シート部材１３の内側シート部材本体２１は、吸収コア１１の肌面側に配置されている。左右の起立シート部２２は、内側シート部材本体２１の肌面側において横方向Ｘに間隔をあけて縦方向Ｙに沿って設けられ、内側シート部材本体２１から離反する方向（肌面側）に起立可能となっている。左右の弾性部材２３は、左右の起立シート部２２の先端部に縦方向Ｙに伸張された状態でそれぞれ付与されており、その収縮力によって起立シート部２２を着用者の肌面に向けて起立させる。この弾性部材２３及び起立シート部２２によって立体ギャザーが構成されており、この立体ギャザーにより排泄された尿及び便の横漏れが防止される。
【００３５】
このような内側シート部材１３の内側シート部材本体２１及び起立シート部２２は、例えばトップシート２８及び左右のサイドシート２９によって構成されている。トップシート２６は、透液性を有し、内側シート部材本体２１の横方向Ｘの中央部に縦方向Ｙに沿って配置されている。トップシート２８の材料としては、例えば親水性不織布等が用いられる。
【００３６】
左右のサイドシート２９は、不透液性を有し、トップシート２８の横方向Ｘの両側の部分（例えば、横方向Ｘの両側の縁部）に肌面側から重なるように、縦方向Ｙに沿って配置され、トップシート２８の横方向Ｘの両側の部分（例えば、横方向Ｘの両側の縁部）と接着剤（例えば、ホットメルト接着剤）等の接合手段によって接合されている。サイドシート２９の材料としては、例えば撥水性不織布等が用いられる。サイドシート２９の横方向Ｘの内方側の部分は、トップシート２８から離反する方向（肌面側）に起立可能な構成となっており、起立シート部２２を構成している。なお、本実施形態では、起立シート部２２をサイドシート２９の横方向Ｘの内方側の部分によって構成したが、この構成に限らず、種々の構成が採用可能である。
【００３７】
このような構成により、本実施形態に係るおむつ１０が装着された状態で着用者による排尿等が行われた場合には、排泄された尿が、内側シート部材１３のトップシート２８を透過して、吸収コア１１に到達し、吸収コア１１の吸収素材１１１によって吸収される。このとき、吸収素材１１１に含まれる吸収ポリマーが尿の吸収に伴って膨張するため、図３に示すように、吸収素材１１１が吸収ポリマーの尿の吸収に伴って膨張する。この吸収コア１１の吸収素材１１１の膨張に伴い、吸収コア１１の包装シート１１２の折り込み部２７及び外側シート部材１２の折り込み部２６が開き、吸収素材１１１が外面側に向けて膨張するためのスペースが与えられる。
【００３８】
これによって、吸収コア１１の吸収素材１１１が外面側に向けて膨張しやすくなり、吸収コア１１の肌面側への膨張を抑制できる。その結果、吸液による吸収コア１１の肌面側への膨張に起因して生じる尿等の排泄物の漏れを抑制できる。
【００３９】
また、本実施形態では、上記の如く、折り込み部２６が吸収コア１１の外面側表面１１ａにおける横方向Ｘの両側の縁部１１ｂよりも横方向Ｘの内方側の部分に対向する外側シート部材１２の部分に、横方向Ｘに互いに間隔をあけて２つ設けられている。このため、吸収コア１１の吸液による膨張が最も大きい中央部に対して、吸収コア１１の外面側にその膨張のためのスペースを効果的に供給できるため、吸収コア１１の肌面側への膨張を効果的に抑制できる。
【００４０】
次に、図４ないし図６を参照して、上記の実施形態に係るおむつ１０の変形例について説明する。図４に示す変形例では、外側シート部材１２の横方向Ｘの両側の縁部が、吸収コア１１の横方向Ｘの両側の側端１１ｃを巻き込むようにして吸収コア１１の肌面側に巻き上げられている。さらに、第１折り込み部２６が、吸収コア１１の外面側表面１１ａにおける横方向Ｘの両側の縁部１１ｂに対向する外側シート部材１２の部分に略縦方向Ｙに沿って設けられている。この図４に示す構成によれば、吸液により吸収コア１１が膨張する際に、折り込み部２６が開くことによってその横方向Ｘのほぼ全幅に渡って吸収コア１１が膨張するためのスペースをその外面側に供給できるため、吸収コア１１の肌面側への膨張を効果的に抑制できる。
【００４１】
図５に示す変形例においても、図４に示す構成とほぼ同様に、外側シート部材１２の横方向Ｘの両側の縁部が、吸収コア１１の横方向Ｘの両側の側端１１ｃを巻き込むようにして吸収コア１１の肌面側に巻き上げられている。また、図５に示す変形例では、第１折り込み部２６が、吸収コア１１の横方向Ｘの両側の側端１１ｃに横方向Ｘの外方から対向する外側シート部材１２の部分に沿って設けられている。この図５に示す構成によっても、吸液により吸収コア１１が膨張する際に、折り込み部２６が開くことによってその横方向Ｘのほぼ全幅に渡って吸収コア１１が膨張するためのスペースをその外面側に供給できるため、吸収コア１１の肌面側への膨張を効果的に抑制できる。
【００４２】
図６に示す変形例では、吸収コア１１の外面側表面１１ａと外側シート部材１２との間における複数箇所に互いに間隔をあけて略筋状の発泡ホットメルト接着剤３１が付与されている。この発泡ホットメルト接着剤３１は、本発明に係るスペーサに相当している。なお、この図６に示す構成では、発泡ホットメルト接着剤３１にスペーサとしての機能を持たせたが、発泡ホットメルト接着剤３１に限らず、種々の素材をスペーサとして用いることができる。
【００４３】
より詳細には、略筋状の発泡ホットメルト接着剤３１が、吸収コア１１の外面側表面１１ａと外側シート部材１２との間における複数箇所に、横方向Ｘに互いに間隔をあけて、略縦方向Ｙに沿って設けられている。図６に示す構成では、発泡ホットメルト接着剤３１が、吸収コア１１の外面側表面１１ａにおける横方向Ｘの両側の縁部１１ｂ又はその近傍と、中央部の３カ所に設けられているが、この構成に限らず、種々の構成が採用可能である。発泡ホットメルト接着剤３１は、おむつ１０の厚み方向に対して適度な厚みを有しており、吸収コア１１と外側シート部材１２とを離間させる。これにより、吸収コア１１の外面側表面１１ａと外側シート部材１２との間における隣り合う発泡ホットメルト接着剤３１の間に、隙間部３２が形成されている。この隙間部３２は、後述するように、吸収コア１１が吸液により膨張する際の逃げスペースとして機能する。
【００４４】
発泡ホットメルト接着剤３１は、ガス（例えば、空気又は窒素ガス等）を混入することによりホットメルト接着剤を発泡させたものであり、ホットメルト接着剤に、固まった状態で立体的な厚みと適度な弾力性を持たせることができるという特性を有している。また、この発泡ホットメルト接着剤３１は、吸収コア１１と外側シート部材１２との接着にも寄与している。
【００４５】
なお、図６に示す構成では、発泡ホットメルト接着剤３１を吸収コア１１の略縦方向Ｙに沿って略全長Ｌ１１に渡って設けたが、発泡ホットメルト接着剤３１を吸収コア１１の縦方向Ｙの中央部を含む一部の区間にのみ設けてもよい。また、図６に示す構成では、略筋状の発泡ホットメルト接着剤３１を略縦方向Ｙに沿って設けたが、略横方向Ｘに沿って設けてもよく、あるいは斜め方向に沿って設けてもよい。
【００４６】
また、図６に示す構成では、吸収コア１１の包装シート１１２に設けられる折り込み部２７が２つ設けられるとともに、この折り込み部２７と外側シート部材１２に設けられる折り込み部２６とが、発泡ホットメルト接着剤３１の間に形成された各隙間部３２に対向する位置にそれぞれ設けられている。
【００４７】
このような図６に示す構成により、吸液により吸収コア１１が膨張するときに、吸収コア１１の外面側表面１１ａと外側シート部材１２との間における隣り合う略筋状の発泡ホットメルト接着剤３１の間に設けられた隙間部３２によって吸収コア１１が外面側に膨張するスペースを供給できる。この隙間部３２及び上述の折り込み部２６，２７の寄与により、吸収コア１１が外面側に向けてさらに膨張しやすくなり、吸収コア１１の肌面側への膨張をより確実に抑制できる。
【００４８】
また、発泡ホットメルト接着剤３１が、吸収コア１１の外面側表面１１ａと外側シート部材１２との間において横方向Ｘに互いに離間して略縦方向Ｙに沿って略筋状に設けられている。このため、横方向Ｘよりも縦方向Ｙの寸法が長い吸収コア１１に対して、発泡ホットメルト接着剤３１の数を抑制しながら、吸収コア１１の外面側表面１１ａと外側シート部材１２との間に効果的に隙間部３２を形成できる。
【００４９】
また、上記の如く、折り込み部２６，２７が発泡ホットメルト接着剤３１の間に形成された各隙間部３２に対向する位置にそれぞれ設けられているため、折り込み部２６，２７の開放動作が発泡ホットメルト接着剤３１によって阻害されることがないとともに、吸収コア１１の外面側における発泡ホットメルト接着剤３１による吸収コア１１の膨張スペースを確保する機能と、折り込み部２６，２７による吸収コア１１の膨張スペースを供給する機能とを確実かつ相乗的に作用させることができる。
【００５０】
また、発泡ホットメルト接着剤３１がスペーサとしての役割を担っているため、発泡ホットメルト接着剤３１をスペーサと吸収コア１１と外側シート部材１２との接着とに兼用でき、おむつ１０の製造工程の簡略化及びコスト抑制が図れる。
【符号の説明】
【００５１】
１０  おむつ、１１  吸収コア、１１ａ  外面側表面、１１ｂ  縁部、１１ｃ  側端、１１１  吸収素材、１１１ａ  側端、１１２  包装シート、１２  外側シート部材、２１  内側シート部材本体、２２  起立シート部、２３  弾性部材、２６，２７  折り込み部、２８  トップシート、２９  サイドシート、３１  発泡ホットメルト接着剤、３２  隙間部、Ｘ  横方向、Ｙ  縦方向。
【図１】
0005597367.tif 000002
【図２】
0005597367.tif 000003
【図３】
0005597367.tif 000004
【図４】
0005597367.tif 000005
【図５】
0005597367.tif 000006
【図６】
0005597367.tif 000007
【図７】
0005597367.tif 000008
【図８】
0005597367.tif 000009
【図９】
0005597367.tif 000010